(57)【要約】  本発明は、回転可能なハウジング１０１と、ハウジング１０１の内部にある固定ハブ２０１および固定ハブ２０１に軸方向に取り付けられる可動ハブ２０２と、固定ハブ２０１と可動ハブ２０２との間に挟まれる複数のディスク２０４と、を備えるクラッチ１００に関する。固定ハブ２０１および可動ハブ２０２は、軸方向に摺動して、可変の軸方向荷重を複数のディスク２０４に伝達するように互いに遠ざかるまたは近づき、トルクを選択的に伝達する。クラッチ１００は、可変の軸方向荷重を制御するためのプレッシャープレートアセンブリ２０８をさらに備え、プレッシャープレートアセンブリ２０８は、回転可能な質量体ホルダ２１１および径方向に配置される複数の質量体要素２１２を備える遠心アセンブリ２１０を含む。各質量体要素２１２は、枢軸３０１を備え、枢動によって、遠心効果による変位１００２のために構成される。質量体要素２１２は、可動ハブ２０２を固定ハブ２０１に近付くように移動させて、可変の軸方向荷重を増大させ、クラッチ１００の自動係合を可能にするように、軸推力をプレッシャープレートアセンブリ２０８内で働かせるようにさらに構成される。各質量体要素２１２は、本体３０２、および枢軸３０１を本体３０２と接続する柱状要素３０３を備える。
2021504646.tif 000002
【特許請求の範囲】
【請求項１】
回転軸の周りに回転可能なハウジング（１０１）と、
前記ハウジング（１０１）の内部にあり、前記回転軸と同軸のシャフトと連結するように構成された固定ハブ（２０１）と、
前記回転軸に沿って前記固定ハブ（２０１）に軸方向に取り付けられ、前記固定ハブ（２０１）と共に回転するように構成された可動ハブ（２０２）と、
前記固定ハブ（２０１）と前記可動ハブ（２０２）との間に挟まれた複数のディスク（２０４）と、
を備えるクラッチ（１００）であって、
前記固定ハブ（２０１）および前記可動ハブ（２０２）は、可変の軸方向荷重を前記複数のディスク（２０４）に伝達するように、互いに遠ざかるまたは近づくように軸方向に摺動するように構成され、それによって、前記ハウジングから前記シャフトへとトルクを選択的に伝達するように構成され、
前記クラッチ（１００）は、前記可変の軸方向荷重を制御するためのプレッシャープレートアセンブリ（２０８）をさらに備え、前記プレッシャープレートアセンブリ（２０８）は、遠心アセンブリ（２１０）を含み、前記遠心アセンブリ（２１０）は、
前記ハウジング（１０１）と共に回転するように構成された質量体ホルダ（２１１）と、
前記質量体ホルダ（２１１）内に前記回転軸の周りで放射状に配置された複数の質量体要素（２１２）と、
を備え、
前記質量体要素（２１２）のそれぞれは、枢軸（３０１）を備え、前記枢軸（３０１）の周りを枢動することによって、遠心効果による変位（１００２）をするように構成され、
前記複数の質量体要素（２１２）は、遠心効果による前記変位（１００２）において、前記可変の軸方向荷重を増大させるために、軸推力を前記プレッシャープレートアセンブリ（２０８）内で働かせて、前記可動ハブ（２０２）を前記固定ハブ（２０１）に近付けるように移動させるようにさらに構成され、
前記質量体要素（２１２）のそれぞれは、本体（３０２）と、前記枢軸（３０１）を前記本体（３０２）に接続する柱状要素（３０３）とを備えている、
クラッチ（１００）。
【請求項２】
前記柱状要素（３０３）は、遠心効果による前記変位（１００２）において、レバーアームを増大させるように構成された、実質的に直立して延在する要素である、請求項１記載のクラッチ（１００）。
【請求項３】
前記質量体要素（２１２）は、前記本体（３０２）内に重心（１００１）を有し、前記柱状要素（３０３）は、前記回転軸に対して、前記重心（１００１）よりも径方向で外側にある枢軸（３０１）を画定する、請求項１または２記載のクラッチ（１００）。
【請求項４】
前記本体（３０２）は、占有体積を最大にするために階段状形状を有する、請求項１〜３のいずれか１項に記載のクラッチ（１００）。
【請求項５】
前記質量体要素（２１２）のそれぞれは、前記軸推力を働かせるように構成される、可変の曲率半径を有するプロファイル接触面（１００３）を備えている、請求項１〜４のいずれか１項に記載のクラッチ（１００）。
【請求項６】
前記質量体ホルダ（２１１）は、対応する突起構造物（１２０２）に複数の枢軸座部（１２０１）を備え、突起構造物（１２０２）のそれぞれは、柱状要素（３０３）のそれぞれが挿入されるように構成される、請求項１〜５のいずれか１項に記載のクラッチ（１００）。
【請求項７】
前記ハウジング（１０１）に接続されるクラッチカバー（１０２）をさらに備え、前記クラッチカバー（１０２）は、複数の前記突起構造物（１２０２）をそれぞれ収容するための複数の凹部（１３０１）、好ましくは貫通孔を備え、それによって、前記ハウジング（１０１）および前記質量体ホルダ（２１１）を共に回転させる、請求項６記載のクラッチ（１００）。
【請求項８】
前記遠心アセンブリ（２１０）は、前記クラッチカバー（１０２）と前記質量体ホルダ（２１１）との間に挟まれた、少なくとも１つの移動終止ばね（２１４）、好ましくは一対の対面型皿ばねをさらに備え、前記少なくとも１つの移動終止ばね（２１４）は、可変の軸方向荷重の閾値に達すると、前記軸推力に部分的に対抗するように構成される、請求項７記載のクラッチ（１００）。
【請求項９】
前記突起構造物（１２０２）は、前記凹部（１３０１）内へとそれぞれ摺動し、それによって、前記少なくとも１つの移動終止ばね（２１４）の圧縮を可能にするようにさらに構成される、請求項８記載のクラッチ（１００）。
【請求項１０】
前記遠心アセンブリ（２１０）は、前記少なくとも１つの移動終止ばね（２１４）のプリロードを制御するための設定手段（２１５）をさらに備える、請求項８または９記載のクラッチ（１００）。
【請求項１１】
前記プレッシャープレートアセンブリ（２０８）は、前記可変の軸方向荷重を前記遠心アセンブリ（２１０）から前記可動ハブ（２０２）へと伝達するように構成されたプレッシャープレート（２０９）を含み、前記遠心アセンブリ（２１０）は、複数の軸ピン（８０１）をさらに備え、
複数の軸ピン（８０１）は、
前記プレッシャープレート（２０９）および前記質量体ホルダ（２１１）を共に回転することを可能にし、さらに、前記軸推力による、前記プレッシャープレート（２０９）に対する前記質量体ホルダ（２１１）の軸方向移動を可能にするように、前記回転軸に対してオフセットしており、前記プレッシャープレート（２０９）に取り付けられ、前記質量体ホルダ（２１１）を貫通している、請求項１〜１０のいずれか１項に記載のクラッチ（１００）。
【請求項１２】
前記プレッシャープレート（２０９）の移動に対抗するように構成される、少なくとも１つのリターンスプリング（２０６）、好ましくは皿ばねをさらに備える、請求項１１記載のクラッチ（１００）。
【請求項１３】
前記固定ハブ（２０１）は、少なくとも１つの螺旋形状に従って傾斜する第１摺動要素（９０１、９０１ａ、９０１ｂ）を備え、前記可動ハブ（２０２）は、前記少なくとも１つの螺旋形状に従って傾斜する第２摺動要素（９０２、９０２ａ、９０２ｂ）を備え、前記第１摺動要素（９０１、９０１ａ、９０１ｂ）および前記第２摺動要素（９０２、９０２ａ、９０２ｂ）は、駆動トルクまたは引きずりトルクを受けると、前記可変の軸方向荷重をそれぞれ増大または減少させるように、互いに嵌め合うように、および相互に摺動するように構成されている、請求項１〜１２のいずれか１項に記載のクラッチ（１００）。
【請求項１４】
前記第１摺動要素（９０１、９０１ａ、９０１ｂ）および前記第２摺動要素（９０２、９０２ａ、９０２ｂ）は、前記駆動トルクについての第１の螺旋形（９０１ａ、９０２ａ）に従って傾斜し、前記引きずりトルクについての第２の螺旋形（９０１ｂ、９０２ｂ）に従って傾斜する、請求項１３記載のクラッチ（１００）。
【請求項１５】
前記質量体ホルダ（２１１）を前記可動ハブ（２０２）から離間させることによって、前記クラッチ（１００）の手動の係合解除を指示するように構成されるプッシャ（４０１）をさらに備える、請求項１〜１４のいずれか１項記載のクラッチ（１００）。
【発明の詳細な説明】
【技術分野】
【０００１】
本発明は、クラッチに関し、特に、本発明は、プレッシャープレート、およびエンジンの回転速度に応じた自動係合を可能にする遠心アセンブリを備えるクラッチに関する。本発明は、特に、自動二輪車のクラッチに適用され得る。
【０００２】
概して、本発明は、エンジンから少なくとも車輪へのトルクの伝達の係合および係合解除を可能にする、車両用のクラッチの分野に関する。
【背景技術】
【０００３】
近年では、高性能の自動二輪車用の自動クラッチが利用可能になっている。高性能の自動二輪車用の自動クラッチは、手動クラッチに対して、多くの利点を有する。
【０００４】
特許文献１は、プレッシャープレートの自動遠心係合を用いたクラッチに関する。プレッシャープレートは、遠心性作動部材、すなわち、プレッシャープレートと上部摩擦板との間に配置される複数の球体を有する、径方向に位置決めされるランプを含む。球体は、クラッチの回転の遠心効果により外側に移動し、プレッシャープレートに作用してクラッチの係合を引き起こす。
【０００５】
特許文献２は、閾速度を超えて回転されると拡張する拡張式摩擦ディスクを組み込む、自動遠心係合を用いたクラッチに関連する。拡張式摩擦ディスクアセンブリは、マルチプルディスククラッチパック内の摩擦ディスクと置き換わるように設計され、遠心効果の影響下で、底板のランプに対して径方向外側に摺動する遠心楔を含む。
【０００６】
特許文献３は、エンジンの回転数（ｒｐｍ）に基づいて拡張式ディスクの厚さを変更するために、クラッチバスケット内の摩擦ディスク間に設置される拡張式クラッチディスクに関する。高回転数（ｒｐｍ）では、遠心性作動部材は、拡張式ディスクの周辺に向かって押し進み、これらの部材の移動が、第１板および第２板を押し離す。
【０００７】
Ａｄｌｅｒ  Ｓ．ｐ．Ａ名義の特許文献４は、手動操作装置と同時に設けられる自動係合装置を備えるクラッチに関する。クラッチは、遠心アセンブリを含み、回転可能に結合される質量体は、遠心効果の影響下における変位を受け、圧力リングと連携して、ディスクパックの軸方向圧縮を生じさせることによって、クラッチの係合状態が達成される。
【０００８】
先行技術の解決策は、自動二輪車のクラッチの自動遠心係合および係合解除を可能にする。
【０００９】
それにもかかわらず、自動クラッチのさらなる円滑な作動が、適切な乗車体験のために達成されるべきである。その点において、先行技術の解決策には、幅広い範囲の回転速度における円滑な係合の必要性が残り、自動二輪車用の自動遠心クラッチ内のトルクの伝達は、さらに最適化され得る。
【００１０】
たとえば、自動係合中のクラッチの挙動は、自動係合解除中の同じクラッチの挙動とは異なったままであり得るため、ユーザの運転／乗車体験を妨げ得る。係合／係合解除のための、このクラッチの挙動の差異は、摩擦ディスクが摩耗すると、悪化し得る。
【先行技術文献】
【特許文献】
【００１１】
【特許文献１】米国特許出願公開第２００８／０９９３００号明細書
【特許文献２】米国特許第８，４５９，４３０号明細書
【特許文献３】米国特許出願公開第２０１５／３６９３０５号明細書
【特許文献４】欧州特許出願公開第２４００１７７号明細書
【発明の概要】
【発明が解決しようとする課題】
【００１２】
本発明の目的は、先行技術の課題を解決することである。
【００１３】
本発明の特定の目的は、円滑な機能およびすばらしい運転／乗車体験を可能にするラッチを提供することである。
【００１４】
本発明のさらなる目的は、エンジン回転速度の低速から高速、および高速から低速への移行中のトルクの伝達を最適化する、自動遠心係合および係合解除を用いたクラッチを提供することである。
【００１５】
本発明のさらなる目的は、自動モードおよび手動モードの両方において、最適に機能的であるクラッチを提供することである。
【００１６】
本発明のさらなる目的は、動作において信頼性のあるクラッチを提供することである。
【００１７】
本発明のさらなる目的は、完全に機能する遠心アセンブリを一体化しながらも、コンパクトサイズであるクラッチを提供することである。
【００１８】
本発明のさらなる目的は、合理的に組み立てられ得るクラッチを提供することである。
【００１９】
これらおよび他の目的は、本開示の不可欠な部分を形成する、添付の請求項に定義するクラッチにより得られる。
【課題を解決するための手段】
【００２０】
本発明の基礎をなす解決策は、回転軸の周りを回転可能なハウジングと、ハウジングの内部にあり、回転軸と同軸のシャフトと連結するように構成された固定ハブと、回転軸に沿って固定ハブに軸方向に取り付けられ、固定ハブと共に回転するように構成された可動ハブと、固定ハブと可動ハブとの間に挟まれた複数のディスクと、を備えるクラッチであって、固定ハブおよび可動ハブは、可変の軸方向荷重を複数のディスクに伝達するように、互いに遠ざかるまたは近づくように軸方向に摺動するように構成され、それによって、ハウジングからシャフトへとトルクを選択的に伝達するように構成されたクラッチである。
【００２１】
クラッチは、可変の軸方向荷重を制御するためのプレッシャープレートアセンブリをさらに備え、プレッシャープレートアセンブリは、遠心アセンブリを含み、遠心アセンブリは、ハウジングと共に回転するように構成された質量体ホルダと、質量体ホルダ内に回転軸の周りで放射状に配置された複数の質量体要素と、を備え、質量体要素のそれぞれは、枢軸を備え、特にクラッチがエンジン内で回転されると、枢軸の周りを枢動することによって、遠心効果による変位をするように構成される。
【００２２】
質量体要素は、遠心効果による変位において、可変の軸方向荷重を増大させるために、特にトルクの伝達のためにクラッチを係合するために、軸推力をプレッシャープレートアセンブリ内で働かせて、可動ハブを固定ハブに近付けるように移動させるようにさらに構成される。
【００２３】
遠心アセンブリを有するクラッチでは、質量体要素のそれぞれは、本体と、枢軸を本体に接続する柱状要素とを備える。
【００２４】
本体および柱状要素を有する質量体要素の構成により、遠心アセンブリの挙動、軸方向荷重を生み出す軸推力、および関連するばね要素の剛性を最適化することが可能である。
【００２５】
さらに、有利には、質量体要素の構成要素の質量の値は、より効果的に決定されることが可能であり、本発明のクラッチの機能が向上する。
【００２６】
特定の質量体要素の幾何学的形状は、クラッチの係合のために可動ハブに伝達される軸推力を提供するために最適化される。その点において、遠心アセンブリの質量体要素が、クラッチの係合を、特に自動的に、可能にする。この方法によって、最大伝達トルクが最適化されるだけでなく、過渡状態時（すなわち、始動、停止、アップシフト、ダウンシフト、部分的スロットルなど）の伝達トルクの自動制御が向上する。有利には、クラッチの自動遠心係合および係合解除は、（スロットルを開放することによって）上昇または（スロットルを閉じる）低下する、様々なエンジン回転速度からの移行中にも最適化される。
【００２７】
本発明のクラッチの円滑な作動は、自動二輪車、特に高性能の自動二輪車における使用に特に有利であり、素晴らしい乗車体験を可能にする。
【００２８】
好ましくは、柱状要素は、遠心効果による変位において、レバーアームを増大させるように構成された、実質的に直立して延在する要素である。
【００２９】
好ましくは、柱状要素は、回転軸に対して、本体の重心よりも径方向で外側にあり、質量体要素の、遠心効果による変位に寄与する枢軸を画定する。
【００３０】
好ましくは、本体は、重量および遠心アセンブリに作用する遠心力を増加させるために、占有体積を最大にするための階段状形状を有する。
【００３１】
好ましくは、質量体要素は、可動ハブに軸推力を働かせ、遠心効果が止むと休止位置に戻るように、可変の曲率半径を有する、圧力アセンブリに作用するプロファイル接触面を備える。
【００３２】
好ましい実施形態では、本発明のクラッチは、質量体ホルダを可動ハブから離間させ、ディスクに作用する軸方向荷重を除去するように構成される、手動係合解除のためのプッシャを備える。有利には、そのようなプッシャは、手動モードを可能にし、これは二重の（自動／手動）作動が可能なままであり、それによって、乗り手の好みおよび道路状況に最もよく適応する。
【００３３】
本発明のクラッチの構成は、コンパクトなままであり、単にクラッチレバーを操作することによって、手動クラッチを備える従来の車両と同程度に容易に手動から自動モードへの切り替えを可能にするため、特に有利である。
【００３４】
好ましくは、質量体ホルダは、対応する突起構造物に収容される複数の枢軸座部を備え、それによって、各柱状要素が突起構造物に挿入される。好ましくは、クラッチは、クラッチカバーをさらに備え、クラッチカバーは、複数の突起構造物をそれぞれ収容するための複数の凹部、特に貫通孔を備え、それによって、ハウジングおよび質量体ホルダを共に回転させる。有利には、完全に作動する遠心アセンブリを一体化する本発明のクラッチのコンパクトな構成が達成される。
【００３５】
好ましくは、遠心アセンブリは、クラッチカバーと質量体ホルダとの間に挟まれた、少なくとも１つの移動終止ばねをさらに備え、移動終止ばねは、可変の軸方向荷重の閾値に達すると、軸推力に部分的に対抗するように構成される。この方法によって、係合および係合解除中のクラッチの作動は、低速〜中速のエンジン回転速度において向上し、遠心アセンブリの自動動作がより信頼性のあるものとなる。
【００３６】
好ましくは、突起構造物は、凹部内へとそれぞれ摺動することが可能であり、それによって、非常にコンパクトなクラッチの全体構成を維持しながらも、少なくとも１つの移動終止ばねの圧縮を可能にする。
【００３７】
好ましくは、遠心アセンブリは、移動終止ばねのプリロードを制御する設定手段を備え、それによって、クラッチを特定の要求、および提供される特定の乗り物およびエンジンの特性に合わせて調整することが可能になる。
【００３８】
好ましくは、プレッシャープレートアセンブリは、可変の軸方向荷重を遠心アセンブリから可動ハブへと伝達するように構成されたプレッシャープレートを含み、遠心アセンブリは、回転軸に対してずれており、プレッシャープレートに取り付けられ、質量体ホルダを貫通する複数の軸ピンをさらに備える。これらの軸ピンは、プレッシャープレートおよび質量体ホルダを共に回転することを可能にし、さらに、軸推力による、プレッシャープレートに対する質量体ホルダの軸方向移動を可能にする。有利には、これらの軸ピンが遠心アセンブリのいくつかの構成要素を連結させることにより、クラッチの組立てはより合理的となる。同時に、軸ピンがクラッチの係合および係合解除中の、プレッシャープレートの軸方向移動のガイドに寄与することにより、クラッチの動作が向上する。
【００３９】
好ましくは、プレッシャープレートアセンブリは、プレッシャープレートの移動に対抗し、それによって、クラッチの係合および係合解除時の機能を向上させ、シームレスかつ滑らかな動作に寄与するように構成される、少なくとも１つのリターンスプリングをさらに含む。
【００４０】
好ましくは、固定ハブおよび可動ハブは、ハブの軸方向移動中に互いに嵌め合う、少なくとも１つの螺旋形状に従って傾斜する、それぞれの摺動要素を備える。ハブがトルクを受けると、これらの摺動要素は、可変の軸方向荷重を増加または減少させ、それによって、加速中にクラッチのさらなる係合に寄与し、さらに、必要に応じて部分的な係合解除を可能にする。好ましくは、２つの別個の螺旋形状が、「モータリング」または「全開スロットル」状態のための作動を最適化するように、駆動トルクおよび引きずりトルクのために設けられる。
【発明の効果】
【００４１】
さらなる特徴および利点が、以下に続く、本発明の限定されない例を表す好ましい実施形態の詳細な説明により明白となる。特に、従属請求項が、本発明のさらなる有利な態様を定義する。
【００４２】
本発明を、限定されない例として提供される添付の図面を参照して開示する。
【図面の簡単な説明】
【００４３】
【図１】本発明のクラッチのアセンブリである。
【図２】図１のクラッチの分解組立図を示す。
【図３】アイドル状態の、図１のクラッチの断面図である。
【図４】初期係合状態の、図１のクラッチの断面図である。
【図５】完全係合状態の、図１のクラッチの断面図である。
【図６】アイドル回転速度のための手動操作の、図１のクラッチの断面図である。
【図７】中高度の回転速度のための手動操作の、図１のクラッチの断面図である。
【図８】本発明のクラッチのプレッシャープレートアセンブリの分解組立図である。
【図９】本発明のクラッチのハブアセンブリの分解組立図である。
【図１０】本発明のクラッチの質量体要素の側面図である。
【図１１】図１０の質量体要素の斜視図である。
【図１２】本発明のクラッチの質量体ホルダである。
【図１３】本発明のクラッチのカバー要素である。
【図１４】本発明のクラッチのハウジングである。
【発明を実施するための形態】
【００４４】
異なる図面中において、類似の要素を類似の参照符号で示す。
【００４５】
図１は、組み立てられた状態の、クラッチ１００のアセンブリを示す。クラッチ１００は、ハウジング１０１およびクラッチカバー１０２を備え、クラッチカバー１０２はハウジング１０１に接続され、閉じられたシェル構造を画定する。
【００４６】
クラッチ１００は、駆動軸と従動軸との間の回転運動およびトルクの伝達を選択的に指示するために使用され、好ましい実施形態では、クラッチ１００は自動二輪車のクラッチである。好ましくは、ハウジング１０１は、エンジンからのトルクを受けるように、トーショナルダンパーを含む主要駆動歯車（図示されず）に接続される。
【００４７】
図２は、クラッチ１００の分解組立図を示す。
【００４８】
ハウジング１０１は、回転軸の周りを回転可能であり、回転軸に沿って、クラッチの他のすべての内部部品が配置される。特に、これらの内部部品は、回転軸上に中心を有する円周に沿って径方向位置に対称に配置される。
【００４９】
クラッチ１００は、ハウジング１０１の内部に固定ハブ２０１を備え、固定ハブ２０１は、ハウジング１０１の回転軸と同軸であるシャフト（図示されず）に連結されるように構成される。その意味で、ハブ２０１は、そのようなシャフトとの回転において「固定」であり、シャフトに対するその軸方向位置もまた「固定」である。
【００５０】
固定ハブ２０１の回転は、以下において詳細に説明するように、クラッチ１００によりトルクを選択的に伝達するように、ハウジング１０１の回転に係合され、または回転から係合解除され得る。
【００５１】
好ましくは、適切なベアリング、たとえばローラベアリング（図示されず）が、ハウジング１０１に挿入され、ハウジング１０１と固定ハブ２０１との間に挟まれる。好ましくは、スペーサ２０３が、ハウジング１０１と固定ハブ２０１との間の適切な嵌合を確保するために、固定ハブ２０１とベアリングとの間に挟まれる。
【００５２】
クラッチ１００は、回転軸に沿って固定ハブ２０１に取り付けられる可動ハブ２０２をさらに含む。可動ハブ２０２は、固定ハブ２０１と共に回転するが、同時に、軸方向には摺動することで固定ハブから遠ざかる、または近づくような形状とされる。その意味で、ハブ２０２は、固定ハブ２０１に対してその軸位置において「可動」であるが、トルクを伝達するように構成されるように、上記のシャフトと共に回転される。
【００５３】
クラッチ１００は、固定ハブ２０１と可動ハブ２０２との間に挟まれる複数のディスク２０４をさらに備える。既知の方法で、複数のディスク２０４は、摩擦材料がコーティングされた複数のリング状のディスクを含む。複数のディスク２０４は、互い違いになっている「駆動」ディスクおよび「従動」ディスクからなり、駆動ディスクは、特にその外歯によってハウジング１０１に連結され、駆動ディスクは、特にその内歯によって可動ハブ２０２の外側円筒面に連結され、可動ハブ２０２の外側円筒面は、ドローイング面（drawing surface）となる。
【００５４】
ディスク２０４が、摩擦によりトルクが伝達されるように互いに押圧されると、従動ディスクは、駆動ディスクからのトルクを受け、それを可動ハブ２０２に、そして固定ハブ２０１に伝達し得る。
【００５５】
この意味で、可動ハブ２０２は、固定ハブ２０１に対して軸方向に摺動し、遠ざかる、または近づいて軸方向荷重をディスク２０４に伝達するように構成される。
【００５６】
換言すると、軸方向荷重がディスク２０４を圧縮すると、トルクが伝達され得るが、一方で、そのような軸方向荷重がない場合は、複数のディスク２０４は、相対的に回転自在であり、クラッチ１００によりトルクは伝達されない。
【００５７】
この軸方向荷重は可変であり、ハウジング１０１から固定ハブ２０１へ、そして好ましくは自動二輪車の変速システムの主軸である、出力軸へのトルクの伝導のために、クラッチの係合および係合解除を起こすために制御され得る。
【００５８】
クラッチ１００は、さらに説明するように、軸推力を受けるために、可動ハブ２０２に連結される底部側プレッシャープレート２０５をさらに備える。
【００５９】
クラッチ１００は、また、さらに説明するように、固定ハブ２０１と底部側プレッシャープレート２０５との間に挟まれ、プレッシャープレートの移動に抗するように構成される、リターンスプリング２０６、特に皿ばねまたはスロット付きディスクスプリングを備える。代替的に、１つまたは複数のコイルばねがリターンスプリングとして使用され得る。
【００６０】
クラッチ１００は、底部側プレッシャープレート２０５（可動ハブに連結される）とプレッシャープレートアセンブリ２０８との間に挟まれるベアリング２０７を備える。好ましくは、ベアリング２０７は、スラストベアリングである。
【００６１】
プレッシャープレートアセンブリ２０８は、トルクを選択的に伝達するために、可動ハブ２０２に作用し、そして次にディスク２０４に作用する可変の軸方向荷重を制御するように構成される。
【００６２】
プレッシャープレートアセンブリ２０８は、プレッシャープレート２０９、遠心アセンブリ２１０、および、好ましくは小型化のために、このシステムにおいては機能的要素となるクラッチカバー１０２を備える。
【００６３】
遠心アセンブリ２１０は、ハウジング１０１と共に回転するように構成される質量体ホルダ２１１を備え、質量体ホルダ２１１は、特に、クラッチカバー１０２に拘束される。
【００６４】
代替の実施形態（図示されず）では、単にクラッチアセンブリを閉鎖する機能を有する異なるクラッチカバーが設けられてもよく、その場合、ハウジング１０１を遠心アセンブリ２１０と共に拘束するためにプレッシャープレートアセンブリ内で専用の部品を使用する。
【００６５】
遠心アセンブリ２１０は、質量体ホルダ２１１内に回転軸の周りに放射状に配置される複数の質量体要素２１２をさらに備える。
【００６６】
さらに説明するように、各質量体要素２１２は、好ましくは、質量体要素２１２を質量体ホルダ２１１に、回転可能に拘束する枢軸ピン２１３によって補われる枢軸を備える。
【００６７】
質量体要素２１２は、枢軸の周りを枢動することによる、遠心アセンブリ２１０中の、遠心効果により変位するように構成される。遠心効果によるそのような変位では、質量体要素２１２は、ベアリング２０７および底部側プレッシャープレート２０５によって可動ハブ２０２に作用するように、プレッシャープレートアセンブリ２０８内で軸推力を働かせ、それによって可動ハブ２０２を固定ハブ２０１に近づけるように構成される。換言すると、質量体要素２１２は、遠心効果のために枢動することによって、ディスク２０４に作用する軸方向荷重を増大させ、それによって、クラッチ１００に係合する。
【００６８】
遠心アセンブリ２１０は、クラッチカバー１０２と質量体ホルダ２１１との間に挟まれる、少なくとも１つの移動終止ばね（end-movement spring）２１４、特に一対の対面型皿ばねまたはスロット付きディスクスプリングをさらに備える。
【００６９】
遠心アセンブリ２１０は、また、少なくとも１つの移動終止ばね２１４のプリロードを制御するための設定手段２１５を備える。特に、設定手段２１５は、クラッチカバー１０２と質量体ホルダ２１１との間の空隙を制御することによって、少なくとも１つの移動終止ばね２１４のプリロードを制御するように構成される。
【００７０】
プレッシャープレートアセンブリ２０８は、示すように、ねじ２１６によってハウジング１０１に連結されるクラッチカバー１０２により閉鎖される。
【００７１】
図３は、アイドル状態のクラッチ１００の断面図を示す。「アイドル」状態とは、エンジンの種類に応じて、エンジンの低回転速度、たとえば自動二輪車の場合は１０００〜１４００ｒｐｍの範囲に対応する。
【００７２】
その点において、アイドル状態のクラッチ１００の構成は、休止状態（エンジンを停止した状態）に想定される構成に類似である。特に、クラッチ１００は、「組立前」のとき、つまり、クラッチ１００の構成要素が組み立てられているが、クラッチ１００は、まだ車両に取り付けられていないときに、係合解除されている。
【００７３】
質量体要素２１２のそれぞれは、枢軸３０１を備え、枢軸３０１の周りで枢動することによって遠心効果の影響下で変位するように構成される。好ましくは、回転ピンが、質量体要素２１２の回転のために枢軸３０１に関連付けられる。代替的に、枢軸３０１自体の湾曲形状が、質量体要素２１２に対して回転支点を提供するのに十分となり得る。
【００７４】
質量体要素２１２のそれぞれは、本体３０２、および枢軸３０１を本体３０２に接続する柱状要素３０３をさらに備える。
【００７５】
アイドル状態では、質量体要素２１２は、遠心アセンブリ内で径方向内側にある。特に、遠心力が生じていないため、その径方向内側表面は、質量体ホルダ２１１の表面に当接する。質量体要素２１２は、この状態において、休止位置にあると定義される。休止位置では、好ましくは、柱状要素３０３は、略垂直である。
【００７６】
前述のように、アイドル状態では、クラッチは係合解除され、可動ハブ２０２とディスク２０４との間に約１．５０〜１．７５ｍｍの間隙３１０が存在する。
【００７７】
図４は、初期係合状態のクラッチ１００の断面図を示す。「初期係合」状態は、エンジンの種類に応じて、エンジンの中低度回転速度、たとえば自動二輪車の場合は１８００〜２０００ｒｐｍの範囲に対応する。
【００７８】
その点において、初期係合状態のクラッチの構成は、低速前進速度における始動段階の車両の状態に対応する。
【００７９】
「初期係合」状態では、質量体要素２１２は、クラッチ１００の回転による、遠心アセンブリ２１０に作用する遠心力によって径方向外側に押し出される。
【００８０】
その点において、質量体要素２１２が「休止」状態を脱し、径方向に回転される「中間」状態となる。
【００８１】
質量体要素２１２の底部接触表面は、プレッシャープレート２０９に軸推力を働かせることによって、可動ハブ２０２が固定ハブ２０１の近位に移動させられる。
【００８２】
同時に、リターンスプリング２０６は、質量体要素２１２の初期変位のために圧縮される。代わりに、リターンスプリング２０６は、この初期移動により最初に変形されるように、移動終止ばね２１４よりも低い剛性を有するため、移動終止ばね２１４は、実質的に影響を受けないままである。
【００８３】
「初期係合」状態では、クラッチ１００が係合を開始し、可動ハブ２０２とディスク２０４との間の間隙４１０は実質的にゼロに減少する。
【００８４】
クラッチ１００は、クラッチの手動の係合解除を指示するために構成されるプッシャ４０１をさらに備え、プッシャ４０１は、明瞭にするためにこれまでは省略され、以下の図面を参照して説明する。
【００８５】
図５は、完全係合状態のクラッチ１００の断面図を示す。「完全係合」状態は、エンジンの種類に応じて、エンジンの中高度〜高度、たとえば、自動二輪車の場合、３０００ｒｐｍより大きい範囲の回転速度に対応する。
【００８６】
その点において、完全係合状態のクラッチの構成は、全速前進速度における、走行車両の状態に対応する。
【００８７】
完全係合状態では、質量体要素２１２は、クラッチ１００の回転による、遠心アセンブリに作用する遠心力によって、径方向外側にさらに押し出される。
【００８８】
その点において、質量体要素２１２は、径方向に回転される「完全」状態となり、遠心作用の影響下において最大の径方向変位に達する。特に、質量体要素２１２は、質量体ホルダ２１１の表面に当接し、変位終端位置に達する。質量体ホルダ２１１の当接面によって、質量体要素２１２のさらなる回転が防止されるため、質量体要素２１２のさらなる径方向の変位は不可能である。
【００８９】
質量体要素２１２の底部接触表面は、より大きな軸推力をプレッシャープレート２０９に働かせ、それによって、可動ハブ２０２を固定ハブ２０１の近位に移動させる。完全係合状態では、クラッチ１００は、最大トルクを伝達するように構成される。
【００９０】
生じる特定の軸方向荷重は、原則的に質量体要素２１２の幾何学的形状に依存する。最大の軸方向荷重が、質量体要素２１２が一回転することによって達成することは有利となる。
【００９１】
ディスク２０４はある特定の閾値を超えて圧縮することができないため、移動終止ばね２１４が遠心アセンブリ中に設けられる。移動終止ばね２１４は、クラッチカバー１０２と質量体ホルダ２１１との間に挟まれ、「完全係合」状態では圧縮されて、同時にクラッチ１００の確実な動作を維持しながらも、質量体要素２１２の一回転を可能にする。
【００９２】
実際には、移動終止ばね２１４は、クラッチの動作を妨げることなく、回転される質量体要素２１２によりもたらされる軸推力を部分的に妨害するように構成される。
【００９３】
好ましくは、設定手段２１５は、クラッチ１００の動作状態の微調整を提供するように、移動終止ばね２１４のプリロードを制御することを可能にする。
【００９４】
好ましい実施形態では、質量体ホルダ２１１は、クラッチカバー１０２に対して摺動することによって、質量体要素２１２に余分の空隙をもたらすために、約０．７５〜１．００ｍｍの（負の）間隙５１０を達成するように構成される。
【００９５】
好ましくは、２つの対面式皿ばねまたはスロット付きディスクスプリングが、質量体要素２１２の最大変位のための適切な空間を提供するように、移動終止ばね２１４として利用される。
【００９６】
図６は、アイドル回転速度用の手動操作のクラッチ１００の断面図を示す。ここでも、「アイドル」回転速度は、エンジンの種類に応じて、たとえば、自動二輪車の場合、１０００〜１４００ｒｐｍの範囲内である。
【００９７】
説明したように、クラッチ１００は、クラッチの手動指示（manual commanding）を可能にするプッシャ４０１を備える。特に、プッシャ４０１は、質量体ホルダ２１１を上昇させてプレッシャープレート２０９から離間させるために、典型的にはクラッチレバーの手動操作によって作動され得る。特に、質量体ホルダは、約２．０ｍｍの（負の）間隙６１１を移動させられる。
【００９８】
前述のように、好ましい実施形態では、質量体ホルダ２１１は、クラッチカバー１０２に対して摺動することによって、前述の約２．０ｍｍの（負の）間隙６１１を達成するように構成される。
【００９９】
質量体ホルダの動作なしでプッシャ４０１を作動させることによって、リターンスプリング２０６もまた、プレッシャープレート２０９および可動ハブを上昇させ、可動ハブ２０２とディスク２０４との間に（負の）間隙６１２が提供されることによって、クラッチが係合解除される。特に、前述の約３．５ｍｍの（負の）間隙６１２が、可動ハブ２０２とディスク２０４との間に形成される。
【０１００】
同時に、アイドル状態では、質量体要素２１２は、遠心アセンブリにて径方向内側にある。特に、その径方向内側表面は、遠心力が生じないため、質量体ホルダ２１１の内側表面に当接する。この状態では、質量体要素２１２は、「休止」状態である。
【０１０１】
クラッチは、いずれの場合でも、プッシャ４０１の動作により係合解除のままである。
【０１０２】
好ましい実施形態では、プッシャ４０１は、クラッチ１００の外部にあり、代替のエンジンでは、従動軸を通過する内部プッシャ（またはプラー）の取り付けが利用され得る。
【０１０３】
図７は、中高度〜高回転速度のための手動操作のクラッチ１００の断面図を示す。前述のように、エンジンの種類に応じて、エンジンの中高度〜高回転速度、たとえば、自動二輪車の場合３０００ｒｐｍ以上の範囲は、上記の「完全係合」の回転速度に対応する。
【０１０４】
それにもかかわらず、プッシャ４０１の手動操作により、クラッチ１００が係合解除状態となる。その点において、中高度〜高回転速度のための手動操作の、クラッチの構成は、たとえば、車両が走行している間の、ギアチェンジ中の状態に対応する。
【０１０５】
大きな遠心力により、質量体要素２１２は、径方向に回転される「完全」状態となり、遠心作用の影響下において最大の径方向変位に達する。特に、質量体要素２１２は、質量体ホルダ２１１の表面に当接し、それによって、質量体要素２１２のさらなる径方向の変位は不可能である。ここでも、質量体要素２１２の底部接触表面は、軸推力をプレッシャープレート２０９に働かせ、それによって、可動ハブ２０２を固定ハブ２０１の近位に移動させる。好ましくは、可動ハブ２０２は、質量体要素２１２の回転により下方向に２．５ｍｍ約移動させられる。
【０１０６】
移動終止ばね２１４は、プッシャ４０１のみの効果によって圧縮されるため、これ以上係合に影響しない。質量体要素２１２は、一回転を達成するために、リターンスプリング２０６の抗力のみを克服しなければならない。
【０１０７】
プッシャ４０１が、質量体ホルダを、好ましくは上記のように約２．０ｍｍの（負の）間隙６１１を移動させると、可動ハブ２０２とディスク２０４との間に適切な（負の）間隙７１０が維持される。
【０１０８】
実際には、たとえば、可動ハブ２０２が、完全に回転した質量体要素２１２により、約２．５ｍｍの（正の）間隙を移動され、約３．５ｍｍの（負の）間隙（１．５ｍｍの初期空隙および約２．０ｍｍの間隙６１１）が可動ハブ２０２とディスク２０４との間に、アイドル状態について形成される場合、プッシャ４０１が動作されるときに、クラッチの係合を防止する、約１．０ｍｍの（負の）間隙７１０が依然として維持される。
【０１０９】
概して、質量体要素２１２の遠心効果の影響下の径方向変位によりもたらされる軸方向移動は、プッシャ４０１によりもたらされる軸方向移動にアセンブリの初期空隙を加えたものよりも小さくなるべきである。
【０１１０】
少なくとも１つの移動終止ばね２１４のプリロードが、前述のように、設定手段２１５により制御され、それによって、遠心アセンブリ２１０とプッシャ４０１との間に適切な空隙が設定され得る。
【０１１１】
したがって、クラッチ１００は、自動モード、および手動モードを提供し、手動モードは、単にクラッチレバーを操作することにより、完全な機能性を有して実行され得る。
【０１１２】
図８は、遠心アセンブリ２１０を含む、クラッチ１００のプレッシャープレートアセンブリ２０８の分解組立図を示す。前述のように、プレッシャープレートアセンブリ２０８は、トルクを選択的に伝達するために、可動ハブ２０２に作用し、次に、ディスク２０４に作用する可変の軸方向荷重を制御するように構成される。
【０１１３】
特に、プレッシャープレート２０９は、可変の軸方向荷重を、ベアリング２０７により、遠心アセンブリ２１０から可動ハブ２０２（図示されず）に伝達するように構成される。
【０１１４】
遠心アセンブリ２１０は、クラッチの回転軸に対してずれており、プレッシャープレート２０９に、たとえばそのネジ穴にねじ込まれることで取り付けられる複数の軸ピン８０１をさらに備える。
【０１１５】
軸ピン８０１の側面は平滑であり、軸ピン８０１は、質量体ホルダ２１１のスロット８０２を通過し、プレッシャープレート２０９と質量体ホルダ２１１との連動した回転を可能にするように構成される。
【０１１６】
同時に、軸ピン８０１は、遠心力により変位されると、挟まれた質量体要素２１２によりもたらされる軸推力の効果の影響下で、プレッシャープレート２０９に対する質量体ホルダ２１１の軸方向移動のガイドを可能にする。
【０１１７】
軸ピン８０１は、このようにして、質量体要素２１２の変位移動をガイドし、可動ハブ２０２に作用する、釣り合いのとれた、左右対称の軸方向荷重を提供するように構成される。軸ピン８０１は、クラッチ１００の確実な動作を提供し、また、プレッシャープレート２０９に対する回転による表面の摩耗を回避するために、プレッシャープレート２０９と質量体要素２１２との連動した回転をさらに可能にする。
【０１１８】
さらに、軸ピン８０１は、また、遠心アセンブリ２１０を連結する、クラッチ１００のアセンブリに対する利点をもたらす。いずれの場合も、これらの軸ピン８０１がなくても、クラッチ１００の構造的一体性が、達成されることが可能であり、これらの軸ピン８０１は任意の要素のままである。
【０１１９】
好ましい実施形態では、遠心アセンブリ２１０は、３つの１２０°からなる構成で回転軸の周りを左右対称に配置される、３つの質量体要素２１２を備える。代替の実施形態では、異なる数の質量体要素が利用され得る。たとえば、２つの対面かつ適切な形状の質量体要素で十分である。別の実施形態は、６つの６０°からなる構成で配置される、６つの質量体要素を使用し得る。概して、質量体要素の数が多ければ、遠心アセンブリがより複雑となり、大きな空間を占める部品が多くなるという犠牲により、軸方向荷重における釣り合いが優れる。
【０１２０】
前述のように、クラッチカバー１０２は、複数のねじ２１６を用いて、ハウジング１０１（図示されず）に組付けられる。好ましい実施形態では、質量体ホルダ２１１は、クラッチ１００のハウジング１０１と共に回転するために、クラッチカバー１０２に拘束される。代替の実施形態では、質量体ホルダは、クラッチカバー以外の別個の部品により、ハウジングに連結され、回転に引き込まれ得る。
【０１２１】
図９は、クラッチ１００のハブアセンブリの分解組立図を示す。ハブアセンブリは、固定ハブ２０１、可動ハブ２０２および複数のディスク２０４を含む。
【０１２２】
固定ハブ２０１は、好ましくは外側表面上の、少なくとも１つの螺旋形に従い傾斜する複数の第１摺動要素９０１を備える。可動ハブ２０２は、好ましくは内側表面中の、それぞれの複数の第２摺動要素９０２を備える。
【０１２３】
第１摺動要素９０１および第２摺動要素９０２は、固定ハブ２０１に対する可動ハブ２０２の回転移動および軸方向移動を拘束するように、互いに嵌り合うように構成される。
【０１２４】
傾斜摺動要素９０１および９０２は、ハブアセンブリがモータリングトルクまたは引きずりトルクを受けると、ディスク２０４に作用する可変の軸方向荷重を増大または減少させるように、相互に摺動するようにさらに構成される。
【０１２５】
摺動要素９０１および９０２によりもたらされる軸方向荷重の強度に対する効果は、上記の遠心アセンブリによりもたらされる軸推力に対する追加の効果となる。換言すると、クラッチ１００は、ディスク２０４に作用する軸方向荷重への２つの自動寄与（automatic contribution）、遠心アセンブリにより与えられる軸推力により表される第１の寄与、およびハブ２０１および２０２に作用するトルクの効果の影響下で、摺動要素９０１および９０２によりもたらされる軸方向荷重により表される第２の寄与を提供する。
【０１２６】
より詳細には、摺動要素９０１および９０２の構成により、固定ハブ２０１および可動ハブ２０２は、駆動トルク、すなわち、車両のエンジンによりもたらされるトルクを受けると、押し合わされるように構成され、また、引きずりトルク、すなわち、（典型的には、車両のブレーキングの段階の）車両のエンジンにより提供されるトルクに対抗するトルクを受けると、引かれるようにも構成される。
【０１２７】
有利には、この、駆動トルクの影響下のさらなる軸方向荷重は、摺動要素９０１および９０２の螺旋形の溝による継手上のハブ２０１および２０２の摺動によりディスク２０４に作用する軸方向荷重の増大をもたらす。
【０１２８】
反対に、引きずりトルクが、（典型的にはスロットル開放段階およびまたはブレーキング段階の）駆動トルクよりも十分に大きい場合、摺動要素９０１および９０２は、軸方向荷重の減少をもたらし、それによって、完全に自動で、遠心アセンブリの力を相殺するように構成される。
【０１２９】
摺動要素９０１および９０２により、クラッチ１００は、したがって、駆動トルクの影響下の自動補助機能、および「スリッパークラッチ」のような、バックトルクリミッタの自動機能を提供する。
【０１３０】
有利には、摺動要素９０１および９０２は、クラッチ１００の円滑な動作を可能にし、クラッチの係合および係合解除の両方の間、遠心アセンブリの自動機能を補助および促進し、それによって、運転／乗車をより快適にする。
【０１３１】
少なくとも１つの傾斜摺動要素９０１および９０２の螺旋傾斜は、クラッチ１００のさらなる較正パラメータである。摺動要素がより傾斜されると、ディスク２０４に印加される軸方向荷重はより大きくなる。
【０１３２】
好ましい実施形態では、摺動要素９０１は、長摺動要素９０１ａと、短摺動要素９０１ｂとを備え、摺動要素９０２は、長摺動要素９０２ａと短摺動要素９０２ｂとを備える。
【０１３３】
長摺動要素９０１ａおよび９０２ａは、（「スロットル全開」状態の）駆動トルクを受けると、軸方向荷重を増加させるために、固定ハブ２０１と可動ハブ２０２とを押し合わせるように構成される、第１の螺旋形に従って傾斜する摺動面を備える。
【０１３４】
短摺動要素９０１ｂおよび９０２ｂは、（「モータリング」状態の）引きずりトルクを受けると、軸方向荷重を減少させるために、固定ハブ２０１と可動ハブ２０２とを引くように構成される、第２の螺旋形に従って傾斜する摺動面を備える。
【０１３５】
好ましい実施形態では、駆動トルクは、長摺動要素９０１ａおよび９０２ａに亘り分配され、長摺動要素９０１ａおよび９０２ａは、短摺動要素９０１ｂおよび９０２ｂよりも大きな表面を有し、引きずりトルクは、短摺動要素９０１ｂおよび９０２ｂに亘り分配される。
【０１３６】
実際には、短摺動要素９０１ｂおよび９０２ｂの、より制限される抵抗部が、引きずりトルクの影響下で生じる応力に耐えることが既に可能である一方で、長摺動要素９０１ａおよび９０２ａのより大きな抵抗部は、駆動トルクの影響下で生じる応力に耐える必要があるように、引きずり（バックトルク）時のトルク値は、駆動トルク時のトルク値よりも制限される。
【０１３７】
別個の、より小さいサイズの、後方摺動する、短要素９０１ｂおよび９０２ｂを提供することにより、クラッチアセンブリの確実性を維持しながらも、クラッチ１００のコンパクト性が達成される。
【０１３８】
自動二輪車の場合、好ましくは、摺動要素９０１および９０２の螺旋形のピッチは、オイルバスクラッチの場合は５００ｍｍ〜２０００ｍｍ、より好ましくは９００ｍｍ〜１８００ｍｍに含まれる。典型的なサイズの自動二輪車のクラッチ場合、これは、１７°〜９°の範囲の摺動要素の傾斜度に対応する。
【０１３９】
概して、螺旋ピッチの値は、クラッチに望ましい動作特性、およびクラッチが取り付けられる車両の種類に基づいて決定され得る。
【０１４０】
代替の実施形態では、長摺動要素９０１ａおよび９０２ａの第１の螺旋形は、短摺動要素９０１ｂおよび９０２ｂの第２の螺旋形の傾斜度と異なる傾斜度、特により大きな傾斜度を有してもよい。それによって、摺動要素９０１および９０２の効果の影響下のクラッチの挙動は、駆動トルクまたは引きずりトルクの状態にさらに最適化され得る。
【０１４１】
好ましくは、固定ハブ２０１および可動ハブ２０２は、固定ハブ２０１にねじ込まれ、可動ハブ２０２内のそれぞれのスロット９０４を通過する複数の軸ピン９０３によって接続される。特に、上記のように摺動要素上でハブの螺旋形移動を可能にするために、スロット９０４は、楕円形の断面図を有する。
【０１４２】
上記のように、ハブアセンブリは、（ここでも任意である）複数のねじ９０５により可動ハブ２０２に連結される底部側プレッシャープレート２０５を備える。底部側プレッシャープレート２０５は、プレッシャープレート２０９（図示されず）によりもたらされる軸推力を受けるように構成され、その点において、底部側プレッシャープレート２０５は、可動ハブ２０２の「受動」要素のままである。
【０１４３】
代替の実施形態では、底部側プレッシャープレート２０５は変更され得る、または可動ハブ２０２がプレッシャープレートアセンブリからの軸推力受けるように適合されるままである限りは、可動ハブ２０２と一体に形成され得る。
【０１４４】
図１０は、質量体要素２１２の側面図を示す。上記のように、質量体要素２１２は、枢軸３０１、本体３０２、および枢軸３０１を本体３０２と接続する柱状要素３０３を備える。
【０１４５】
枢軸３０１は、質量体ホルダ２１１に対する回転連結を画定する（図示されず）。好ましくは、複数の回転ピンが、枢軸３０１とその座部との間に設けられ得る。そうでなければ、枢軸３０１の湾曲形状が、質量体要素２１２の回転支点を提供するのに十分となり得る。
【０１４６】
柱状要素３０３は、レバーのアームを、質量体要素２１２の遠心効果の影響下における変位において増大させるように構成される、略長尺かつ直立要素である。
【０１４７】
特に、遠心力は、横向きで、（例示的位置に配置される）質量体要素２１２の重心１００１に作用する。柱状要素３０３は、重心１００１（「荷重点」）および枢軸３０１（「支点」）からのより長い距離（「レバーのアーム」）を提供し、それによってレバーのアームが増大する。レバーのアームを増大させることによって、矢印１００２で例示される遠心効果の影響下における変位移動が促進され、そして、より効果的に、質量体要素２１２の底のプロファイル接触面１００３により付与される軸推力へと変換される。
【０１４８】
重心１００１は、本体３０２内に位置し、本体３０２は、質量体要素２１２における重量の大半を保持する。好ましくは、柱状要素３０３は、（図１０の右手側で）クラッチの回転軸に対する重心１００１よりも、半径「ｒ」に沿って径方向に外部にある枢軸３０１を画定する。径方向により外部にある枢軸３０１を有することによって、外販形により大きな質量体が位置することによって遠心加速度が増大するため、質量体要素２１２に作用する遠心力は、増大してもよい。その点において、質量体要素２１２の遠心効果の影響下における変位は、さらに最適化される。
【０１４９】
さらに、径方向により外部にある枢軸３０１を有することによって、クラッチ１００のハウジングの内部部品のためのより大きな空間が、中心に向かって利用可能になり、それによって、システムのコンパクト性が増加する。
【０１５０】
代替の実施形態（図示されず）では、枢軸が重心と整列される、または重心よりも内側となり得る。
【０１５１】
概して、プロファイル接触面１００３は、軸推力を働かせるように構成される、可変の曲率半径を有する。たとえば、プロファイル接触面１００３は、カム状形状を有する。特に、枢軸３０１と、プロファイル接触面１００３の最も外側の点との間の距離は、方向１００２に沿った質量体要素の変位中に増大するはずである。
【０１５２】
さらに、プロファイル接触面１００３は、たとえば車両を停止させるために、クラッチを係合解除するために、クラッチの回転速度が閾値よりも低くなると、質量体要素２１２を「休止」状態に戻すように構成される。
【０１５３】
特に、質量体要素２１２のプロファイル接触面１００３は、好ましくはより低い剛性を有するプレッシャープレート２０９により伝達されるリターンスプリング２０６の動作と併せて、好ましくはより高い剛性を有する移動終止ばね２１４の効果により、「休止」状態に戻るように構成される。
【０１５４】
図１１は、質量体要素２１２の斜視図を示す。好ましい実施形態では、本体３０２は、占有体積を最大にし、それによって本体３０２に位置する質量体を最大にし、そこに作用する遠心力を増大させる階段形状を有する。この方法により、よりコンパクトな遠心アセンブリが提供され得る。
【０１５５】
質量体要素のさらなる実施形態（図示されず）では、摩擦効果を増加させ、クラッチの特定の回転速度に満たない初期の変位を防止するために、ゴム要素が設けられ得る。
【０１５６】
図１２は、質量体ホルダ２１１を示す。質量体ホルダ２１１は、ハウジング１０１（図示されず）と共に回転し、質量体要素２１２（図示されず）を運搬して回転軸の周りで回転させるように構成される。
【０１５７】
質量体ホルダ２１１は、質量体要素２１２の枢軸３０１のための、複数の枢軸座部１２０１を備える。したがって、質量体要素２１２は、上記の、遠心効果の影響下における変位のために、そのような枢軸座部１２０１内で回転するように構成される。
【０１５８】
枢軸座部１２０１は、好ましくは、それぞれが、それぞれの柱状要素３０３の挿入のために構成される複数の対応する突起構造物１２０２中に設けられる。
【０１５９】
質量体ホルダ２１１内に突起構造物１２０２を設けることによって、クラッチ１００のよりコンパクトな構成が達成され、実際には、柱状要素３０３がその中に収容され、質量体ホルダ２１１の中心に、同時に、クラッチ１００の追加の要素のための空間を残す。そのような要素は、たとえば、設定手段２１５および移動終止ばね２１４である。
【０１６０】
図１３は、クラッチカバー１０２を示す。クラッチカバー１０２は、複数の凹部、特に貫通孔１３０１を備える。
【０１６１】
貫通孔１３０１は、質量体ホルダ２１１の複数の突起構造物１２０２をそれぞれ収容するように構成される。したがって、貫通孔１３０１と突起構造物１２０２との接続は、質量体ホルダ２１１のクラッチカバー１０２との連動回転を可能にし、クラッチカバー１０２は次に、ボルト止め接続部１３０２によってハウジング１０１と接続される。したがって、クラッチ１００を回転させることによって、上記のように、遠心アセンブリ２１０内に遠心力が生じる。
【０１６２】
貫通孔１３０１は、図３〜７を参照して説明したように、クラッチの動作中に、突起構造物１２０２の摺動移動を可能にするようにさらに構成される。実際には、質量体ホルダ２１１とクラッチカバー１０２との間の距離が変化し、突起構造物１２０２が凹部１３０１内に摺動することによって、移動終止ばね２１４の圧縮が可能になることがわかる。
【０１６３】
クラッチカバーの代替の実施形態では、凹部は、クラッチの外側で閉鎖されることが可能であり、クラッチカバーは、その結果、より厚い。
【０１６４】
好ましくは、クラッチカバー１０２は、滑らかにするために設けられるさらなる開口１３０３を含む。
【０１６５】
図１４は、好ましくは任意のダンパを通して主要なギヤと接続するための複数の孔１４０１を備えるハウジング１０１を示す。
【０１６６】
ハウジング１０１は、上記のように、クラッチカバー１０２のハウジング１０１との連動回転を確実にするためにボルト止め接続部１３０２と嵌め合うように構成される複数のスロット１４０２をさらに備える。
【０１６７】
本発明を、限定されない例を表す自動二輪車のクラッチ１００を参照して説明している。
【０１６８】
当業者は、本開示を考慮して、特定の要求に応じる、本発明のクラッチのさらなる修正例を想定し得る。
【０１６９】
たとえば、本発明のクラッチは、特定の適用およびクラッチが取り付けられる自動車両（自動二輪車、自動車、トラックなど）に応じた様々な要求に適合させることが可能である。
【０１７０】
質量体要素の数および配置、ならびに／または様々なばね要素の数および剛性は、クラッチを特定の適用に適合させるために、変更され得る。特に、クラッチの構成が可能にする場合は、皿ばね以外の異なるばね要素が利用され得る。
【０１７１】
さらに、摺動要素９０１および９０２の構成は、特定の設計の要件を満たすために修正されてもよい。
【０１７２】
有利には、クラッチの挙動は、設けられるばね要素を変更することによって、また、単に、クラッチの「微調整」のために設定手段２１５を動作させることによっても、制御されることが可能であり、クラッチの性能は、そのようにして最適化され得る。
【０１７３】
本発明のクラッチのさらなる利点は、遠心アセンブリによる自動動作と共に、および同時に利用可能であるその手動操作の可能性を含む。それでも、手動操作は除外され得る。
【０１７４】
なお、本発明は、また、乾式または湿式のクラッチにも適用され得る。
【図１】
2021504646.tif 000003
【図２】
2021504646.tif 000004
【図３】
2021504646.tif 000005
【図４】
2021504646.tif 000006
【図５】
2021504646.tif 000007
【図６】
2021504646.tif 000008
【図７】
2021504646.tif 000009
【図８】
2021504646.tif 000010
【図９】
2021504646.tif 000011
【図１０】
2021504646.tif 000012
【図１１】
2021504646.tif 000013
【図１２】
2021504646.tif 000014
【図１３】
2021504646.tif 000015
【図１４】
2021504646.tif 000016
【国際調査報告】
2021504646.tif 000017
2021504646.tif 000018
2021504646.tif 000019